(57)【要約】【課題】伝送装置間の通信に使用する帯域を空き帯域に応じて自動的に配分することで、ネットワークの管理の複雑化を防止しつつ、ネットワーク資源の利用効率を向上させること。【解決手段】多重化により伝送路の複数の帯域を使用して複数のチャネルを設定し、データの伝送を行う際、前記チャネルのパスを設定し、前記チャネルのパスに基づいてデータを多重化して伝送し、前記伝送路中の空き帯域を検出し、この空き帯域をチャネルの要求数に応じて適切に配分し、この配分結果に基づいてチャネル数変更用のパス設定要求を出力する。【選択図】          図１
2004153623.tif 000002
【特許請求の範囲】
【請求項１】
多重化により伝送路の複数の帯域を使用して複数のチャネルを設定し、データの伝送を行う伝送装置において、
前記チャネルのパスを設定するチャネルパス設定部と、
データを多重化し、前記チャネルのパスに基づいて伝送する多重化部と、
前記伝送路中の空き帯域を検出し、この空き帯域をチャネルの要求数に応じて適切に配分し、この配分結果に基づいてチャネル数変更用のパス設定要求を出力する帯域調整部と、
を備えることを特徴とした伝送装置。
【請求項２】
発信元の伝送装置が複数あり、着信先の伝送装置が１つの場合、
前記帯域調整部が、発信元の伝送装置の数に応じて割当チャネル数を決定することを特徴とする請求項１に記載の伝送装置。
【請求項３】
発信元の伝送装置が１つであり、着信先の伝送装置が複数ある場合、
前記帯域調整部が、着信先の伝送装置の数に応じて割当チャネル数を決定することを特徴とする請求項１に記載の伝送装置。
【請求項４】
制御対象となる伝送装置の数をｎとし、該制御対象に割り当て可能な総チャネル数をＭとし、重み付け定数をα（ｎ）としたとき、各伝送装置に割り当てるチャネル数をα（ｎ）×Ｍ／ｎとすることを特徴とする請求項１に記載の伝送装置。
【請求項５】
前記帯域調整部が、発信元の伝送装置と着信先の伝送装置との間に割り当てる最小チャネル数を規定し、該発信元の伝送装置と着信先の伝送装置間のチャネル数が前記最小チャネル数未満とならないように、チャネルの割当を行うことを特徴とする請求項１に記載の伝送装置。
【請求項６】
前記発信元の伝送装置と着信先の伝送装置との間のトラヒックを測定する測定部を備え、
前記帯域調整部が、その測定結果に応じて割り当てるチャネル数を決定することを特徴とする請求項１に記載の伝送装置。
【請求項７】
チャネルパス管理部が、新規にチャネルパスを設定するパス設定要求を受け付け、このパス設定要求を満たすチャネルのルーティングを行った際に、空き帯域が無い場合、
帯域調整部が、デフォルトチャネル以外のチャネルを取り消して帯域を解放し、新規のチャネルパスを設定することを特徴とする請求項１に記載の伝送装置。
【請求項８】
多重化により伝送路の複数の帯域を使用して複数のチャネルを設定し、データの伝送を行う伝送装置が、
発信元の伝送装置から着信先の伝送装置へのチャネルのパス設定要求を受け付けるステップと、
このパス設定要求を満たすチャネルのルーティングを行うステップと、
前記ルーティング結果に基づいてチャネルのパスを設定するステップと、
データを多重化し、前記チャネルパスに基づいて伝送するステップと、
前記伝送路中の空き帯域を検出し、この空き帯域をチャネルの要求数に応じて適切に配分し、この配分結果に基づいてチャネルのパス設定要求を出力するステップと、
を実行することを特徴とした伝送方法。
【請求項９】
多重化により伝送路の複数の帯域を使用して複数のチャネルを設定し、データの伝送を行う伝送装置と、該伝送装置を管理する管理装置とを有するネットワークシステムであって、
前記管理装置が、
発信元の伝送装置から着信先の伝送装置へのチャネルのパス設定要求を受け付け、このパス設定要求を満たすチャネルのルーティングを行うチャネルパス管理部と、
前記チャネルの設定指示を伝送装置に送信するチャネル設定指示部とを備え、
前記伝送装置が、
前記チャネルの設定指示に基づいてチャネルパスを設定するチャネルパス設定部と、
データを多重化し、前記チャネルパスに基づいて伝送する多重化部と、
前記伝送路中の空き帯域を検出し、この空き帯域をチャネルの要求数に応じて適切に配分し、この配分結果に基づいてチャネル数変更用のパス設定要求を出力する帯域調整部と、
を備えることを特徴としたネットワークシステム。
【請求項１０】
多重化により伝送路の複数の帯域を使用して複数のチャネルを設定し、データの伝送を行う伝送装置を有するネットワークの管理装置であって、
発信元の伝送装置から着信先の伝送装置へのチャネルのパス設定要求を受け付け、このパス設定要求を満たすチャネルのルーティングを行うチャネルパス管理部と、
前記伝送路中の空き帯域を検出し、この空き帯域をチャネルの要求数に応じて適切に配分し、この配分結果に基づいてチャネル数変更用のパス設定要求を出力する帯域調整部と、
を備えることを特徴とした管理装置。
【発明の詳細な説明】
【０００１】
【発明の属する技術分野】
本発明は、同期ディジタルハイアラーキ（ＳＤＨ：  Ｓｙｎｃｈｒｏｎｏｕｓ  Ｄｉｇｉｔａｌ  Ｈｉｅｒａｒｃｈｙ）やＳＯＮＥＴ（Ｓｙｎｃｈｒｏｎｏｕｓ  Ｏｐｔｉｃａｌ  Ｎｅｔｗｏｒｋ）等において、動的に帯域を自動調整する技術に関する。
【０００２】
【従来の技術】
現在ＳＯＮＥＴ／ＳＤＨは、インターネットの急速な普及により、それを支える伝送技術として非常に多く使用されている。
【０００３】
ＳＯＮＥＴ／ＳＤＨの特徴は以下の３点に集約できる
・  世界統一された全同期インターフェースである
・  各種情報の柔軟な多重化が可能であり、従来の６４ｋｂｉｔ／ｓをベースとする音声情報から１５５．５２  Ｍｂｉｔ／ｓやそれ以上の情報を多重化できる。
・  保守運用性に富み、多重化された情報のエンド・エンドのオンライン監視が行える。
【０００４】
このようにＳＯＮＥＴ／ＳＤＨは情報通信インフラの基盤となる通信技術であった。しかしながら近年のインターネットに代表されるパケット通信技術の普及により、帯域を確定的に伝送するＳＯＮＥＴ／ＳＤＨでは、空いているときでも空き情報を固定的に送信しなければならないといった問題が指摘されるようになってきている。
【０００５】
そこでＳＯＮＥＴ／ＳＤＨを改良する工夫として以下の技術が提案されている。
【０００６】
バーチャルコンカチ（ＶＣ：  Ｖｉｒｔｕａｌ  Ｃｏｎｃａｔｅｎａｔｉｏｎ）
ＬＣＡＳ（Ｌｉｎｋ  Ｃａｐａｃｉｔｙ  Ａｄｊｕｓｔｍｅｎｔ  Ｓｃｈｅｍｅ）
ＳＯＮＥＴ／ＳＤＨでは従来、５１．８４Ｍｂｉｔ／ｓ，  １５５．５２Ｍｂｉｔ／ｓ，６２２．０８Ｍｂｉｔ／ｓ，  ２．４８８３２Ｇｂｉｔ／ｓ，．．．という粒度の帯域のみ扱うことが可能であった。ＶＣはその粒度を柔軟に使用するために標準化された技術で、例えば５１．８４Ｍｂｉｔ／ｓ（ＳＴＳ−１）を基準にそのｎ倍を指定し、通信が行える仕組みである。基準値は１５５．５２Ｍｂｉｔ／ｓ（ＳＴＳ−３）でも良い。中継装置は既存のＳＴＳ−１などを扱える機器を用意しておけばよい。ＬＣＡＳは、先のＶＣの動的帯域変更を無瞬断で行う技術である。
【０００７】
前述したようにＳＯＮＥＴ／ＳＤＨをベースとした通信方式は、インターネットを収容するためにより柔軟な仕組みを提供しつつある。しかしながらＶＣ，ＬＣＡＳといった高機能が提供されるにしたがい、その運用も複雑になる。例えば、先のＶＣ，  ＬＣＡＳを用い、帯域の増加を行おうとすれば、まずＮＭＳ（Ｎｅｔｗｏｒｋ  Ｍａｎａｇｅｍｅｎｔ  Ｓｙｓｔｅｍ）から、発信元、着信先および中継装置に対して帯域増加の指示を行う。その帯域増加指示も、増加するＳＯＮＥＴ／ＳＤＨのチャネルを、網運用者が手動で指定しなければならない。
【０００８】
さらにその発信元−着信先の対が多くなればなるほど、その運用・管理は複雑になると考えられる。またＳＯＮＥＴ／ＳＤＨネットワークは同期ベースのネットワークであるため、ネットワーク資源を使用するにはチャネルを拠点間に張ることが前提である。
【０００９】
従って、従来技術の問題点をまとめると、
ａ）帯域を変更するための情報の管理や、帯域増加指示に係るＳＤＨ／ＳＯＮＥＴチャネルの指定等、網運用者によるネットワーク管理が複雑化する。
【００１０】
ｂ）ＳＯＮＥＴ／ＳＤＨでは、インターネット等のように帯域を柔軟に変更して、ネットワーク資源を高効率に使用することが困難である。
等が挙げられる。
【００１１】
また、本発明に関する公知技術としては、以下の例がある。
【００１２】
複数のタイムスロットから成る時分割多重の伝送路を複数個収納して交換制御を行う通信装置が伝送路により相互に接続され、各通信装置に対して共通に設けられて各通信装置の帯域管理を行う管理プロセッサを備えたネットワークシステムにおいて、管理プロセッサがタイムスロットの使用状況に応じて適切な経路を割り当ててクロスコネクト機能による遅延を防止するネットワーク帯域管理方式（特許文献１参照）。
【００１３】
通信パケットを転送するノード及び、該ノードのルーティング情報と使用帯域情報とユーザ毎の最大帯域情報とを管理するサーバを含む通信システムにおいて、サーバがユーザ端末から帯域設定要求を受けた場合に、この要求値が該ユーザの最大帯域以下で且つ空き領域が存在する場合に該ユーザ端末と通信相手までにある各ノードに対して帯域を確保する動的通信帯域設定方法（特許文献２参照）。
【００１４】
【特許文献１】
特開２０００−２６９９１６号公報
【００１５】
【特許文献２】
特開２０００−３０７５９９号公報
【００１６】
【発明が解決しようとする課題】
本発明は、このような従来の技術の問題点に鑑みてなされたものである。即ち、本発明は、伝送装置間の通信に使用する帯域を空き帯域に応じて自動的に配分することで、ネットワークの管理の複雑化を防止しつつ、ネットワーク資源の利用効率を向上させることを目的とする。
【００１７】
【課題を解決するための手段】
本発明の伝送装置、管理装置、伝送方法及びネットワークシステムは、多重化により伝送路の複数の帯域を使用して複数のチャネルを設定し、データの伝送を行う際、
前記チャネルのパスを設定し、
前記チャネルのパスに基づいてデータを多重化して伝送し、
前記伝送路中の空き帯域を検出し、この空き帯域をチャネルの要求数に応じて適切に配分し、この配分結果に基づいてチャネル数変更用のパス設定要求を出力する。
【００１８】
これにより、網運用者はある２地点間のデフォルトのチャネルパスの設定のみを行い、発信元の伝送装置と着信先の伝送装置との間の帯域（チャネル）を空き帯域に応じて自動的に増減できるようにしている。
【００１９】
例えば、発信元−着信先装置間に約６００Ｍｂｉｔ／ｓ（ＳＴＳ−１×６本）のパスを設定する場合、網運用者はＮＭＳ経由でデフォルトのチャネル番号のみ設定する。つまりＳＴＳ−１分のチャネルを設定する。あとは装置が自動的にパスの帯域を約６００Ｍｂｉｔ／ｓまで増加させることを行う。網運用者にとっては、設定すべきパラメタが各装置で使用するチャネルと、その帯域のみで良い。帯域もＳＴＳ−１をもし基準帯域にするならば、そのｎ倍という形での保持のみでよい。
【００２０】
また、本発明では、例えば発信元の送信装置（同期多重化装置）が複数台で、着信先の送信装置が１台あった場合、その間の帯域（チャネル数）を発信元の送信装置台数で等分し、かつそれを自動に計算すると言ったことが可能になる。
【００２１】
【発明の実施の形態】
以下、図面を参照して本発明の好適な実施の形態を説明する。
【００２２】
《実施形態１》
まず、本発明の実施形態１を図１から図２０に基づいて説明する。図１は本発明に係るネットワークシステムの説明図であり、図２は伝送装置及び管理装置等から構成されるネットワークの説明図であり、図３は伝送装置の説明図であり、図４は管理装置の説明図である。
【００２３】
〈基本ネットワーク構成〉
本実施形態のネットワークは、所謂ＳＯＮＥＴ／ＳＤＨであり、図２に示すように、伝送装置１やこれを管理する管理装置（ＮＭＳ：Ｎｅｔｗｏｒｋ  Ｍａｎａｇｅｍｅｎｔ  Ｓｙｓｔｅｍ）２等から構成されている。
【００２４】
各伝送装置（同期多重化装置）１は、多重化により伝送路Ｌの複数の帯域を使用し、複数のチャネルを設定してデータの伝送を行う。
【００２５】
なお、本実施形態のネットワークにおいて、前記伝送装置１は、先ずＮＭＳ２からのチャネルパス設定要求に基づき、デフォルトのチャネルパスを設定する。そして伝送装置１は、自身の空き帯域（チャネル）を検出し、この空き帯域をデフォルトのチャネルパス数に応じて配分し、チャネル数を増減する。これにより、ネットワーク資源（帯域）を有効に利用して通信を行えるようにしている。なお、デフォルトチャネルとは、増減の基礎となるチャネルパスであり、発着間の伝送路設定の初期にＮＭＳ２からのパス設定要求に基づいて設置されたチャネルを意味する。
【００２６】
本実施形態において、デフォルトのチャネル及び増減するチャネルは、ＳＴＳ−１でも良いし、そのｎ倍のチャネルでも良い。更にＶＣの技術を使用すれば、チャネル数をＳＴＳ−１の整数倍とすることができる。そして本実施形態では、伝送装置１が、チャネルを増減する際にＬＣＡＳ技術を用い、無瞬断で切り替えを行っている。
【００２７】
また、本実施形態ではＧＭＰＬＳシグナリングプロトコルを用いている。このＧＭＰＬＳは現在ＩＥＴＦでその仕様が検討されているシグナリング方式である。ＭＰＬＳはそのラベルとしてｓｈｉｍヘッダと呼ばれる固定長のヘッダをＩＰパケットの上位に付け、ＭＰＬＳ網内ではそのラベルのみを見て転送する技術である。従って、本実施形態では、ＮＭＳ２から発信元の伝送装置１と着信先の伝送装置１にパス設定要求が出力されると、このシグナリングプロトコルによって各伝送装置１が自律的にチャネルを設定する。
【００２８】
本発明によるネットワークシステムは、図１に示すように、チャネルパス管理部（チャネルルーティング・資源管理部）１１や、チャネルパス設定部１２、多重化部（同期多重化部）１３、帯域調整部（動的帯域調整部）１４を有している。
【００２９】
このチャネルパス管理部１１は、発信元の伝送装置から着信先の伝送装置へのチャネルのパス設定要求を網運用者（保守者）の指示に基づいて受け付け、このパス設定要求を満たすチャネルパスのルーティングを行う。また、チャネルパス管理部１１は、帯域管理データベースを有し、管理対象のネットワークに属する各伝送装置間（エンド−エンド間）における帯域（リソースの割り当て状態）を管理し、各エンド−エンド間における帯域の使用状態を記憶している。
【００３０】
チャネルパス設定部１２は、チャネルパス管理部１１のルーティング結果に基づくチャネル設定指示に従って、対応するエンド−エンド間に要求帯域に応じたチャネルのパスを設定する。
【００３１】
多重化部１３は、チャネルを多重化し、発着間のチャネル上を流れるデータをルーティング結果に応じたルートで発信側から着信側まで伝送する。
【００３２】
そして、帯域調整部１４は、或る伝送装置における（リソース；例えばチャネル）の空き状態を検出し、この空き帯域をその伝送装置が伝送路を形成している他の伝送装置１との関係等に応じて適切に配分し、この配分結果に基づいてチャネル数変更用のパス設定要求を出力する。
【００３３】
このチャネルパス設定部１２は、チャネルパスが設定された一連の伝送装置１のうち、発信元の伝送装置１に備えられたものであり、多重化部１３は、この一連の伝送装置１により実現されるものであり、帯域調整部１４は、この一連の伝送装置１のうち、着信先の伝送装置１に備えられたものが機能している。
【００３４】
即ち、チャネルパスの設定によって各伝送装置が実行する機能が異なり、チャネルパスを限定するならば一部の要素を有していれば良いが、本例では図３に示すように各伝送装置が、チャネルパス設定部１２、多重化部１３、帯域調整部１４を備えている。
【００３５】
また、ＮＭＳ２は、図４に示すように、チャネルパス管理部１１や、チャネル許可部２１、チャネル設定指示部２２を有している。
【００３６】
このチャネル許可部２１は、伝送装置１からチャネル数変更用のパス設定要求を受信した場合に、帯域の空き状況と各伝送装置の該パス設定要求とに基づき、該帯域の空き（空きチャネル数）を上限としてチャネルの割り当てを許可する。
【００３７】
チャネル設定指示部２２は、チャネル許可部２１で許可したチャネルの割当に基づいて前記各伝送装置にチャネル設定指示を出力する。
【００３８】
この伝送装置１及びＮＭＳ２を構成する各部は、ＳＯＮＥＴ／ＳＤＨの伝送装置に搭載される専用の電子回路（ハードウェア）で構成しても良いし、専用又は汎用のコンピュータでソフトウェアを運用することで実現しても良い。
【００３９】
〈伝送方法〉
本実施形態における伝送方法について図５〜図２０を用いて説明する。
【００４０】
＃１．デフォルトパス設定
図５において先ず、ネットワークの保守者がＮＭＳ２に発―着間のデフォルトチャネルパスの設定を入力する。例えば伝送装置１ｄ，１ｅをそれぞれ発信元とし、伝送装置１ａを着信先としてデフォルトチャネルパスを夫々設定する場合について説明する。ＮＭＳ２から発信元装置１ｄ，１ｅにデフォルトチャネルの設定要求を送信する（Ｓ１１）。本例で設定するデフォルトチャネルパスの帯域は、最小単位であるＳＴＳ−１とする。
【００４１】
前記パス設定要求を受信した発信元装置１ｄ，１ｅは、このパス設定要求を満たすようにＧＭＰＬＳシグナリングプロトコルを用いて着信先装置１ａにチャネルパス設定要求を送信する（Ｓ１２）。
【００４２】
着信先装置１ａは、このパスを設定すると発信元装置１ｄ，１ｅにパス設定完了を通知し（Ｓ１３）、この発信元装置１ｄ，１ｅがＮＭＳ２にパス設定の完了を通知する（Ｓ１４）。
【００４３】
＃２．帯域計算
本例では、図６，図７に示すように、伝送装置１ａに１２本のＳＴＳ−１を接続可能となっている。また、本例では１台の着信先の伝送装置（着信先装置）１ａに対し、中継する伝送装置（中継装置）１ｂ，１ｃを介して発信元の伝送装置（発信元装置）１ｄ，１ｅが２台接続されている。そして、伝送装置１ａ−１ｄ、伝送装置１ａ−１ｅ間にそれぞれデフォルトチャネルパスが設定され、空きチャネルが１０本ある場合について示す。
【００４４】
着信先装置１ａは、帯域調整部１４が帯域管理テーブル（図７（ａ））を参照して空き帯域を検出する。即ちＳＴＳ−１×１０本分の空きを検出する。そして帯域調整部１４は、この空きチャネル数（１０本）をデフォルトのチャネル数（チャネルの要求数、この例では２本）で割り、発信元装置毎の増分（５本）を求める。従って着信先装置１ａの帯域調整部１４は、伝送装置１ａ−１ｄ、伝送装置１ａ−１ｅ間のチャネルパス設定をＳＴＳ−１×１本からＳＴＳ−１×６本へ変更するように、帯域変更要求を出力する。帯域変更要求は、発信元装置の識別情報と、増加すべきＳＴＳ−１のチャネル数とを含んでいる。
【００４５】
＃３．帯域交渉
着信先装置１ａは、上記のように帯域を増加させるため、以下に示す方法で各装置１ｄ，１ｂ，１ｃ及び１ｅ，１ｂ，１ｃとの帯域交渉を行う。
【００４６】
着信先装置１ａは上記帯域変更要求をＮＭＳ２へ送信する（Ｓ１５）。
【００４７】
本例では、着信先装置１ａからＮＭＳ２へ、チャネル５本分の帯域増加を求める帯域変更要求を出す。ＮＭＳ２は、経路計算や所要チャネル数計算を行い、チャネル許可部２１により、発信元装置１ｄと着信先装置１ａとの間の空きチャネルを検索し、この要求された分の空きチャネルを確保できるか否かを判定する。ＮＭＳ２は、この判定の結果、例えば３チャネル分の空きがあれば、この３チャネル分の設定を許可し、チャネル設定指示部２２が、発信元装置１ｄ，にチャネル設定指示を行う（Ｓ１６）。
【００４８】
発信元装置１ｄは、ＧＭＰＬＳシグナリングプロトコルを用いて着信先装置１ａにチャネルパス設定要求を送信する（Ｓ１７）。
【００４９】
このパス設定要求を受信すると着信先装置１ａは、設定要求に応じたチャネルパス設定を行い、完了すると発信元装置１ｄにＧＭＰＬＳチャネル設定完了を通知する（Ｓ１８）。このステップ（Ｓ１７，Ｓ１８）を２チャネル分繰り返して都合３チャネル分の設定を行う。
【００５０】
そして、発信元装置１ｄは、増加設定したチャネルパスのうちの一つを特定し、それに対応するＰＯＨ（パスオーバヘッド）中のＨ４バイトにＡＤＤコマンドを記載して着信先装置１ａに送信することで、そのチャネルパスをＬＣＡＳにより無瞬断で増加させる機能を起動させる（Ｓ１９）。これに対し、着信先装置１ａは追加対象のチャネルの追加処理を行い、完了すると同じくＨ４バイトによりＭｅｍｂｅｒ  Ｓｔａｔｕｓ応答（追加の完了通知）を行う（Ｓ２０）。
【００５１】
そして発信元装置１ｄが、追加されたチャネルを用いた通信の開始を通知し（Ｓ２１）、着信先装置１ａがＲＳ−Ａｃｋ応答を返す（Ｓ２２）。ＬＣＡＳの仕組みとしては１チャネルずつ増加を行うので、本例ではチャネル増設シーケンス（Ｓ１９〜Ｓ２２）を増加するチャネル数分（３回）繰り返す。
【００５２】
その後、発信元装置１ｄがＮＭＳ２にパス設定の完了を通知する（Ｓ２３）。
【００５３】
これに応じてＮＭＳ２は、着信先装置１ａに帯域変更の完了を通知する（Ｓ２４）。この伝送装置１ａ−１ｄ間の設定の後、伝送装置１ａ−１ｅ間についても同様の動作を繰り返す。
【００５４】
着信先装置１ａは、チャネルの設定が完了すると、帯域管理テーブルの使用フラグと使用者を更新する。なお、図７（ｂ）は、伝送装置１ａ−１ｄ間及び伝送装置１ａ−１ｅ間の帯域増加を完了した状態の帯域管理テーブルを示している。
【００５５】
このように本実施形態の伝送装置１は、ＬＣＡＳを用いて無瞬断でチャネルを増加することができる。
【００５６】
なお、ここで使用するＨ４バイトは、図８に示すようにＳＴＭ−１フレームに多重されて伝送されるＳＴＳ−１フレームのＰＯＨに含まれている。このＨ４バイトは図９に示すフォーマットとなっており、このコントロールコードの値を指定して所望の機能を実行させる。図１０は、このコントロールコードの値であり、例えば帯域を増加する場合、ＡＤＤ（０００１）を指定する。
【００５７】
一方、新規に伝送装置１を追加する場合には、ＮＭＳ２は、新規に追加される伝送装置を発信元とした場合に、この伝送装置と着信先の伝送装置に相当する伝送装置との間のルート計算を行い、且つルート計算結果で得られるルート上にデフォルトチャネルパスを設定できるか否かを、管理しているチャネルの空き状態より判断する。ここで、ＮＭＳ２は、着信先の伝送装置に空きチャネルがない場合には、既存の発信元の伝送装置と当該着信先の伝送装置との間で既に設定されているデフォルトチャネルパス以外のチャネルを解放させて再度割当を行う。本例では、図５に示す発信元装置が２台の状態から図１１に示すように発信元装置１ｘが追加される場合について説明する。図１２は、この場合のシーケンスを示している。
【００５８】
先ずＮＭＳ２が、新規伝送装置追加指示を既存の発信元装置（例えば発信元装置１ｄ）に送信する（Ｓ３１）。この指示には、解放対象のチャネルを示す情報（チャネル番号）、新規伝送装置のデフォルトチャネルパスを設定するための情報を含んでいる。
【００５９】
発信元装置１ｄは、追加指示を受信すると着信先装置１ａにＧＭＰＬＳに基づくチャネル解放要求を送信する（Ｓ３２）。なお、このとき送信する通知は、図１３に示すように、解放要求なのか、設定要求なのか等、どのようなオーダかを示すメッセージＩＤを含む通知フォーマットによって行っている。ここでは、メッセージＩＤとして“解放”が設定され、要求帯域値には新規伝送装置１ｘのデフォルトチャネルパスの帯域値が設定される。着信先装置１ａは解放要求を受け取ると、発信元装置１ｄに既に割り当てられているデフォルトチャネルパス以外のチャネルパスを要求帯域分だけ解放し、完了すると解放完了メッセージを発信先装置１ｄに送信する（Ｓ３３）。
【００６０】
すると、発信元装置１ｄは、追加指示に含まれていた情報を用いて新規伝送装置のデフォルトのチャネルパスの設定要求を着信先装置１ａに送信する（Ｓ３４）。このチャネルの設定が完了したら着信先装置１ａは、発信元装置１ｄに設定完了を通知する（Ｓ３５）。
【００６１】
これを受けて発信元装置１ｄは、ＮＭＳ２に新規伝送装置１ｘのデフォルトチャネルパスの追加が完了したことを通知する（Ｓ３６）。
【００６２】
その後、着信先装置１ｄは、各発信元装置１ｄ，１ｅ及び１ｘのデフォルトチャネルパス以外のチャネルを空きチャネルとして、上記したような空きチャネルの分配処理を行うことができる。
【００６３】
なお、図１２に示した例では、発信元装置１ｄに新規同期多重化装置追加指示が与えられているが、これに代えて、発信元装置１ｅに追加指示が与えられるようにしても良い。また、新規伝送装置の要求帯域が２以上のＳＴＳ−１である場合には、各発信元装置１ｄ，１ｅに追加指示が与えられるようにしても良い。
【００６４】
また、図１２に示した例では、既存の発信元装置１ｄが新規の伝送装置１ｘのデフォルトチャネルパスを設定している。これに代えて、ＮＭＳ２は、発信元装置１ｄに新規伝送装置１ｘの要求帯域分のチャネルを解放するためのパス解放指示を出し、発信元装置１ｄからパス解放完了通知を受け取ると、新規伝送装置１ｘにデフォルトチャネルパスのパス設定指示を出し、新規伝送装置１ｘが着信先装置１ｄとの間で両者間のデフォルトチャネルパスを設定するようにしても良い。
【００６５】
このように本実施形態では、網運用者がＮＭＳ２に対し、ある２地点間（発−着信間；エンド−エンド間）のデフォルトのチャネルパスの設定指示を入力すれば、その後の当該２地点間における帯域（チャネル）の増減は発信元−着信先装置間で自動的に行われる。これによって網運用者の管理負担が軽減される（即ちネットワークの管理の複雑化が防止される）と共に、ネットワーク資源を有効に利用することができる。
【００６６】
〈変形例１〉
本例では、図１４，図１５に示すように、２台の着信先装置１ａ，１ｆに対し、中継装置１ｂ，１ｃを介して発信元装置１ｄ（ＳＴＳ−１を１２本使用可能）が１台接続され、ＳＴＳ−１一本分のデフォルトチャネルパスが伝送装置１ｄ−１ａ間及び伝送装置１ｄ−１ｆ間に夫々設定され、伝送装置１ａで使用可能な空きチャネル（ＳＴＳ−１）が１０本ある場合について示す。
【００６７】
この場合、発信元装置１ｄは、帯域調整部１４が発信元装置１ｄ内の帯域管理テーブルを参照して空き帯域を検出する。この時点での管理テーブルの内容は、図１５に示す内容になっている。従ってＳＴＳ−１×１０本分の空きが検出される。そして発信元装置１ｄの帯域調整部１４は、この空きチャネル数（１０本）をデフォルトのチャネル数（２本）で割り、発信元装置毎の増分（５本）を求める。従って発信元装置１ｄの帯域調整部１４は、チャネルパス設定をＳＴＳ−１×１本からＳＴＳ−１×６本へ変更するように、チャネル数変更用の帯域変更要求をＮＭＳ２へ向けて出力する。
【００６８】
その後、図４のＳ１６〜Ｓ２４と同様の処理が伝送装置１ｄ−１ａ間、伝送装置１ｄ−１ｆ間で行われ、これらの発着間の帯域が増加される。
【００６９】
このように、本発明では、伝送装置間の通信を一対多で行う場合には、単数側の伝送装置が複数側の伝送装置の数に応じてチャネルの割当を決定することができる。
【００７０】
〈変形例２〉
上述の実施形態では、空き帯域を各伝送装置に等分に割り当てていたが、上記実施形態は、重み付け定数を用い、伝送装置毎に帯域を割り当てる割合を変更するように変形することができる。
【００７１】
本例では、図５，図６に示すように、１台の着信先の伝送装置（着信先装置）１ａに対し、中継する伝送装置（中継装置）１ｂ，１ｃを介して発信元装置１ｄ，１ｅが２台接続され、各発信元装置１ｄ，１ｅにデフォルトチャネルパスがＳＴＳ−１一本分ずつ設定され、着信先装置１ａの空きチャネルが１０本ある場合について示す。また、発信元装置１ｄの重み付け定数が０．８、伝送装置１ｅの重み付け定数が１．２となっている。着信先装置１ａは、上記重み付け定数を予め保持しているものと仮定する。
【００７２】
この場合、着信先装置１ａは、帯域調整部１４が帯域管理テーブル（図６）を参照して空き帯域を検出する。即ちＳＴＳ−１×１０本分の空きを検出する。そして帯域調整部１４は、次式によって着信先装置毎の増分を求める。
【００７３】
α（ｎ）×Ｍ／ｎ
但し、ｎ：制御対象となる伝送装置の数（デフォルトのチャネル数）
Ｍ：該制御対象に割り当て可能な総チャネル数
α（ｎ）：重み付け定数
従って着信先装置１ａの帯域調整部１４は、図１６に示すように発信元装置１ｄとの間のチャネルを４本、発信元装置１ｅとの間のチャネルを６本、増加させるように帯域変更要求をＮＭＳ２に対して出力する。
【００７４】
なお、重み付け定数は、予め各伝送装置が記録しておいても良いし、パス設定時に複数側の伝送装置から単数側の伝送装置に送信しても良いし、ＮＭＳ側から指定しても良い。
【００７５】
このように本例によれば、複数側の伝送装置（この例では発信元）に対して空き帯域（チャネル）を割り当てる割合を、チャネルの重要度やアクセス数などによって任意に設定できる。
【００７６】
〈変形例３〉
本例は、発信元装置と着信先装置との間に割り当てる最小チャネル数を規定する様に実施形態を変形している。
【００７７】
図１７は本例のネットワーク構成を示す図であり、図１８は本例の帯域管理テーブルを示している。
【００７８】
本例では発信元装置１ｄ，１ｅの２台が着信先装置１ａに接続されており、図１８（ａ）に示すように、実施形態で説明した手順により各発信元装置１ｄ，１ｅにチャネルを６本ずつ割り当てている場合について説明する。
【００７９】
また、発信元装置１ｄと着信先装置１ａとの間に割り当てられる最小チャネル数が５に設定されている。
【００８０】
ここで、新規に発信元装置１ｘを追加すると、帯域調整部１４は、デフォルトのチャネルを１つ増加し、残りの９チャネルを配分するように制御することになる。
【００８１】
この場合、前述の実施形態のように最小チャネル数を考慮しないと、発信元装置の台数に応じて３等分し、４本ずつ配分される。
【００８２】
本例では、発信元装置１ｄと着信先装置１ａとの間の最小チャネル数が５であるので、残りの７本を発信元装置１ｄと発信元装置１ｘとで等分する。なお、この残りのチャネルを発信元装置の台数で割り切れない場合には、余ったチャネルを空きチャネルとする。また、各伝送装置に優先順位を設定し、この優先順位の順番に余ったチャネルを割り当てても良い。本例では図１８（ｂ）に示すように、発信元装置１ｄと発信元装置１ｘとにチャネルを３本ずつ割り当てて、空きチャネルを１本としている。
【００８３】
なお、最小チャネル数は、予め各伝送装置が記録しておいても良いし、パス設定時に複数側の伝送装置から単数側の伝送装置に送信しても良いし、ＮＭＳ側から指定しても良い。
【００８４】
なお、図１７に示した例では、新規の伝送装置１ｘが追加された場合における着信先装置１ｄのデフォルトチャネル以外のチャネルの再分配において、発信元装置１ｄの最小チャネル数が保証される場合について説明した。但し、上記した保証は、或る着信先装置において、複数の発信元装置毎のデフォルトチャネルパスの設定が終了した後における空きチャネルの分配においても行うことができる。例えば、着信先装置１ｄで管理される１２本のＳＴＳ−１チャネルについて、発信元装置１ｄと着信先装置１ａとの間，及び発信元装置１ｅと着信先装置１ａとの間でＳＴＳ−１チャネル１本分のデフォルトチャネルパスが設定されている場合において、１０本分の空きチャネルを各発信元装置１ｄ及び１ｅに分配するときに、発信元装置１ｄの最小チャネル数が例えば“８”に設定されている場合には、７本のＳＴＳ−１チャネルが発信元装置１ｄと着信先装置１ａとの間に追加され、３本のＳＴＳ−１チャネルが発信元装置１ｅと着信先装置１ａとの間に設定されるように空きチャネルが分配される。
【００８５】
これにより空き状況に応じて使用する帯域を変更し、効率良く通信を行う構成としながら、所定のエンド−エンド間について必要な帯域を保証することができる。
【００８６】
〈変形例４〉
本例は、発信元装置と着信先装置との間に割り当てる最大チャネル数を規定する様に実施形態を変形している。
【００８７】
本例は、図１９，図６に示すように、１台の着信先の伝送装置（着信先装置）１ａに対し、中継する伝送装置（中継装置）１ｂ，１ｃを介して発信元装置１ｄ，１ｅが２台接続され、ＳＴＳ−１チャネル１本分のデフォルトチャネルパスが伝送装置１ｄ−１ａ間、及び伝送装置１ｅ−１ａ間に夫々設定され、伝送装置１ａでの空きチャネルが１０本ある場合について示す。また、発信元装置１ｄと着信先装置１ａとの間の最大チャネル数が３に規定されている。
【００８８】
この場合、着信先装置１ａの帯域調整部１４が、帯域管理テーブル（図６）を参照して空き帯域の検出、即ちＳＴＳ−１×１０本分の空きチャネルを検出する。そして帯域調整部１４は、この空きチャネル１０本を等分して着信先装置毎の増分を求める。
【００８９】
このとき発信元装置１ｄと着信先装置１ａとの間のチャネル数は、最大３に規定されているので、デフォルトのチャネル数を引いた２が増分の上限となる。
【００９０】
帯域調整部１４は、前記空きチャネル数を等分した増分が、増分の上限を超えているので、前記発信元装置１ｄと着信先装置１ａとの間の増分を２とし、他方の増分を８とし、帯域変更要求をＮＭＳ２に出力する。
【００９１】
なお、このとき前記最大チャネル数が７であれば、前記空きチャネル数を等分した増分（５）を超えないので、各増分が５となる。
【００９２】
なお、最大チャネル数は、予め各伝送装置が記録しても良いし、パス設定時に複数側の伝送装置から単数側の伝送装置に送信しても良いし、ＮＭＳ側から指定しても良い。
【００９３】
このように本例によれば、割り当てられる帯域（チャネル）の上限を規定でき、必要以上に帯域が割り当てられることを無くし、適切に帯域（チャネル）の割り当てが行えるようにしている。
【００９４】
なお、本変形例の最大チャネル数と上記変形例４の最小チャネル数とを同時に指定し、割り当てられるチャネル数の範囲を規定するようにしても良い。
【００９５】
〈変形例５〉
本例では、リアルタイムなトラフィックを測定し、その測定量に応じて割り当てるチャネル数を決定する様に実施形態を変形している。
【００９６】
図２０は、本例の伝送装置を示すブロック図である。本例の伝送装置１は、図１の伝送装置と比べてチャネル毎のトラフィックを測定する測定部３１を備えた点が異なっている。
【００９７】
本例の伝送装置１では、例えば図１６に示すように、帯域調整部１４によって空き帯域が配分された場合、各チャネルのトラフィックを測定部３１で測定する。
【００９８】
この測定の結果、割り当てたチャネルが使用されていなかった場合には、帯域調整部１４が、この結果に基づき、使用されていないチャネルの解放要求を出力する。
【００９９】
また、前記測定の結果、一部のチャネルにトラフィックが集中している場合には、この結果に基づいて帯域調整部１４がこのチャネルに対応する発着間のチャネル数を増やすための帯域変更要求を出力する。
【０１００】
例えば発信元装置１ｄから着信先装置１ａまでのトラフィックが少なく、発信元装置１ｅから着信先装置１ａまでのトラフィックが多い場合には、着信元装置１ａがこれを検出して該装置１ｄ−１ａ間のチャネルを減らして該装置１ｅ−１ａ間のチャネルを増加させるパス設定要求を出力する。
【０１０１】
このように本例によれば、実情に即して帯域を変更でき、更なる効率化を図れる。
【０１０２】
なお、測定部３１によるトラフィックの測定は、例えば伝送データを観測し、一定以上ヌルデータが続いた場合にチャネルが使用されていないと判定する。また、実データを伝送していない場合には、特定のコードを送信するようにし、このコードが所定時間以上にわたって検出された場合にチャネルが使用されていないと判定する。逆に一定以上ヌルデータが検出されない場合にはトラフィックが集中していると判定する。また、実データを伝送していない場合に、特定のコードを送信するようにし、このコードが所定時間以上にわたって検出されない場合にトラフィックが集中していると判定する。
【０１０３】
なお、上記したチャネルの割当変更に代えて、エンド−エンド間のトラフィックの比較を行わなくても、或るエンド−エンド間におけるトラフィックが「多い」と判定される所定の条件を満たす場合に、他のエンド−エンド間に割り当てられているチャネルが当該エンド−エンド間に割り当てられるような制御を行うこともできる。
【０１０４】
《実施形態２》
次に本発明の実施形態２について説明する。前述の実施形態１ではＧＭＰＬＳを用いてチャネルパスの設定を行ったが、本実施形態ではこれに代えてＮＭＳがチャネルパスの設定を指示する点が異なっている。なお、その他の構成は略同じであるので、同一の要素に同符号を付して再度の説明を省略している。
【０１０５】
〈伝送方法〉
本実施形態における伝送方法について図２１を用いて説明する。
【０１０６】
＃１．ＮＭＳからのデフォルトパス設定
先ず、ネットワークの保守者がＮＭＳ２に発着信装置間のデフォルトチャネルパスの設定を入力する。例えば伝送装置１ｄ，１ｅをそれぞれ発信元とし、伝送装置１ａを着信先としてデフォルトチャネルパスを夫々設定する場合について説明する。ＮＭＳ２は、チャネルパス管理部１１で、このパス設定要求を満たすチャネルのルーティングを行い、チャネル設定指示部２２が、チャネルパス管理部１１のルーティング結果に基づき、各伝送装置１ａ，１ｂ，１ｃ，１ｄ及び１ａ，１ｂ，１ｃ，１ｅに対してデフォルトチャネルパスの設定指示を出力する（Ｓ４１）。
【０１０７】
ＮＭＳ２から本例で設定するパスの帯域は、最小単位であるＳＴＳ−１とする。
【０１０８】
ＮＭＳ２は、該パスの設定が行われると、チャネルパス管理部１１が帯域の使用状況を帯域管理テーブルに記憶する。
【０１０９】
帯域管理テーブルは、入力ポート（帯域）毎に管理され、使用フラグや、デフォルトチャネルフラグ、使用者フラグ等からなる。パスが設定された場合（帯域が使用された場合）には使用フラグがセットされる（即ち、使用状態で１、未使用状態で０とされる）。かつそれがデフォルトチャネルの場合は、デフォルトチャネルフラグがセットされる。さらにそのチャネルの使用者の欄に発信元の伝送装置のＩＤを記録する。
【０１１０】
＃２．帯域計算
本例では、図６，図７（ａ）に示すように、１台の着信先の伝送装置（着信先装置）１ａに対し、中継する伝送装置（中継装置）１ｂ，１ｃを介して発信元の伝送装置（発信元装置）１ｄ，１ｅが２台接続され、空きチャネルが１０本ある場合について示す。
【０１１１】
この場合、着信先装置１ａは、帯域調整部１４が帯域管理テーブルを参照して空き帯域の検出、即ちＳＴＳ−１×１０本分の空きチャネルを検出する。そして帯域調整部１４は、この空きチャネル数をデフォルトのチャネル数で割り、発信元装置毎の増分（５本）を求める。
【０１１２】
＃３．帯域交渉
着信先装置１ａの帯域調整部１４は、ＳＴＳ−１×１本からＳＴＳ−１×６本へ変更するように、即ちチャネル５本分の帯域増加を求める帯域変更要求をＮＭＳ２へ送信する（Ｓ４２）。
【０１１３】
ＮＭＳ２は、経路計算及び所要チャネル数計算を行い、チャネル許可部２１により発信元装置１ｄから着信先装置１ａ間の空きチャネルを検索し、この要求された分の空きチャネルを確保出来るか否かを判定する。ＮＭＳ２は、この判定の結果、例えば３チャネル分の空きがあれば、この３チャネル分の設定を許可し、チャネル設定指示部２２が各伝送装置１、即ち発信元装置１ｄ、中継装置１ｃ，１ｂ、着信先装置１ａにチャネル設定指示を行う（Ｓ４３）。
【０１１４】
そして、発信元装置１ｄは、増加設定したチャネルパスのうちの一つを特定し、それに対応するＰＯＨ（パスオーバヘッド）中のＨ４バイトにＡＤＤコマンドを記載して着信先装置１ａに送信することで、そのチャネルパスをＬＣＡＳにより無瞬断で増加させる機能を起動させる（Ｓ４４）。これに対し、着信先装置１ａは追加対象のチャネルの追加処理を行い、完了すると同じくＨ４バイトによりＭｅｍｂｅｒ  Ｓｔａｔｕｓ応答（追加の完了通知）を行う（Ｓ４５）。
【０１１５】
そして発信元装置１ｄが、追加されたチャネルを用いた通信の開始を通知し（Ｓ４６）、着信先装置１ａがＲＳ−Ａｃｋ応答を返す（Ｓ４７）。ＬＣＡＳの仕組みとしては１チャネルずつ増加を行うので、本例ではチャネル増設シーケンス（Ｓ４４〜Ｓ４７）を増加するチャネル数分（３回）繰り返す。
【０１１６】
この最後のＲＳ−Ａｃｋ応答が発信元装置１ｄに返ると、該発信元装置１ｄは、ＮＭＳ２へ完了通知を送信する（Ｓ４８）。また、発信元装置１ｅ−着信先装置１ａ間についても同様の動作を繰り返す。
【０１１７】
また、ＮＭＳ２のチャネル管理部２４は、この完了通知に応じて帯域管理テーブルの使用フラグと使用者を図７（ｂ）の如く更新する。
【０１１８】
このように本実施形態の伝送装置１は、ＬＣＡＳを用いて無瞬断でチャネルの切り替えを行っている。
【０１１９】
一方、新規に伝送装置１を追加する場合には、ＮＭＳ２は、新規に追加される伝送装置を発信元とした場合に、この伝送装置と着信先の伝送装置に相当する伝送装置との間のルート計算を行い、且つルート計算結果で得られるルート上にデフォルトチャネルパスを設定できるか否かを、管理しているチャネルの空き状態より判断する。ここで、ＮＭＳ２は、着信先の伝送装置に空きチャネルがない場合には、既存の発信元の伝送装置と当該着信先の伝送装置との間で既に設定されているデフォルトチャネルパス以外のチャネルを解放させて再度割当を行う。本例では、図５に示す発信元装置が２台の状態から図１１に示すように発信元装置１ｘが追加される場合について説明する。図２２は、この場合のシーケンスを示している。
【０１２０】
先ずＮＭＳ２が、新規のチャネルパス設定要求を各伝送装置１に送信する（Ｓ５１）。
【０１２１】
着信先装置１ａは、空きチャネルが無い場合、ＮＭＳ２にチャネルを解放するようにチャネルパス設定要求を送信する（Ｓ５２）。
【０１２２】
ＮＭＳ２は帯域管理テーブルを参照し、デフォルトチャネルパスではないチャネルを１つ決定し、このチャネルの解放指示を各伝送装置１に送信する（Ｓ５３）。
【０１２３】
着信先装置１ａは、この解放した帯域を使用して新規にデフォルトのチャネルパスを設定し、この設定が完了したらＮＭＳ２へ完了通知を送信する（Ｓ５４）。
【０１２４】
そして、デフォルトのチャネルパスが設定されたのちは、前述と同様に各伝送装置１の帯域調整部１４によって空き帯域が配分される。
【０１２５】
このように本実施形態では、網運用者がＮＭＳ２に対し、ある２地点間（発−着信間；エンド−エンド間）のデフォルトのチャネルパスの設定指示を入力すれば、その後の当該２地点間における帯域（チャネル）の増減は発信元−着信先装置間で自動的に行われる。これによって網運用者の管理負担が軽減される（即ちネットワークの管理の複雑化が防止される）と共に、ネットワーク資源を有効に利用される。
【０１２６】
なお、本実施形態においても前述の実施形態１の変形例１〜変形例５と同様に変形することができる。
【０１２７】
《実施形態３》
次に本発明の実施形態３を図２３から図２８に基づいて説明する。図２３は本実施形態のネットワークシステムの説明図であり、図２４は伝送装置の概略図、図２５は管理装置の概略構成図である。
【０１２８】
〈基本ネットワーク構成〉
本実施形態のネットワークシステムは、前述の実施形態２と比べ、帯域調整部を管理装置側に設けた点が異なっている。なお、前述の実施形態と同一の要素には同符号を付して再度の説明を省略する。
【０１２９】
本実施形態のネットワークシステムは、図２３に示すように、伝送路Ｌを介して多重化したデータを伝送する伝送装置１０や、これを管理する管理装置（ＮＭＳ：Ｎｅｔｗｏｒｋ  Ｍａｎａｇｅｍｅｎｔ  Ｓｙｓｔｅｍ）２０等から構成されている。
【０１３０】
本実施形態のネットワークシステムにおいては、ＮＭＳ２０が、デフォルトのチャネルパスを設定した後、空き帯域を検出して、この空き帯域をデフォルトのチャネルパス数に応じて配分し、チャネル数を増減するように各伝送装置１０にチャネルパス設定の支持を行う。これにより、ネットワーク資源を有効に利用して通信を行えるようにしている。
【０１３１】
伝送装置１０は、図２４に示すように、チャネルパス設定部１２及び多重化部１３を有している。
【０１３２】
ＮＭＳ２０は、図２５に示すように、チャネルパス管理部１１や、チャネル設定指示部２２、帯域調整部２６を有している。
【０１３３】
このチャネルパス管理部１１は、発信元の伝送装置から着信先の伝送装置へのチャネルのパス設定要求を網運用者（保守者）から受け付け、このパス設定要求を満たすチャネルパスのルーティングを行う。また、チャネルパス管理部１１は、帯域管理データベースを有し、管理対象のネットワークに属する各伝送装置間（エンド−エンド間）における帯域（リソースの割り当て状態）を一元管理し、各エンド−エンド間における帯域の使用状態を記憶している。
【０１３４】
チャネル設定指示部２２は、チャネルパス管理部１１のルーティング結果に基づくチャネル設定指示に従って、対応するエンド−エンド間に要求帯域に応じたチャネルのパスを設定する。
【０１３５】
そして、帯域調整部２６は、或る伝送装置における（リソース；例えばチャネル）の空き状態を検出し、この空き帯域をその伝送装置が伝送路を形成している他の伝送装置１との関係等に応じて適切に配分し、この配分結果に基づいてチャネル数変更用のパス設定要求を行う。
【０１３６】
また、伝送装置１０は、ＮＭＳ２０によって設定されたチャネルを使用して多重化したデータを伝送する。
【０１３７】
上記伝送装置１０及びＮＭＳ２０を構成する各部は、専用の電子回路（ハードウェア）で構成しても良いし、汎用のコンピュータでソフトウェアを運用することによって実現しても良い。
【０１３８】
〈伝送方法〉
次に本実施形態における伝送方法について図２６を用いて説明する。
【０１３９】
＃１．ＮＭＳからのデフォルトパス設定
先ず、ネットワークの保守者がＮＭＳ２０に発着信装置間のデフォルトチャネルパスの設定を入力する。ＮＭＳ２０は、チャネルパス管理部１１で、このパス設定要求を満たすチャネルのルーティングを行い、チャネル設定指示部２２が、チャネルパス管理部１１のルーティング結果に基づき、各伝送装置１０に対してデフォルトチャネルのパス設定要求を送信する（Ｓ６１）。
【０１４０】
＃２．帯域計算
本例では、図２３，図２７（ａ）に示すように、１台の着信先の伝送装置（着信先装置）１０ａに対し、中継する伝送装置（中継装置）１０ｂ，１０ｃを介して発信元の伝送装置（発信元装置）１０ｄ，１０ｅが２台接続され、空きチャネルが１０本ある場合について示す。
【０１４１】
この場合、ＮＭＳ２０は、帯域調整部２６が帯域管理テーブルを参照して空き帯域を検出する。即ちＳＴＳ−１×１０本分の空きチャネルを検出する。そして帯域調整部２６は、この空きチャネル数をデフォルトのチャネル数で割り、発信元装置毎の増分（５本）を求める。
【０１４２】
＃３．帯域交渉
ＮＭＳ２０の帯域調整部２６は、ＳＴＳ−１×１本からＳＴＳ−１×６本へ変更するように、チャネル５本分の帯域増加を求める帯域変更要求をチャネル許可部２１に出力する。
【０１４３】
ＮＭＳ２０は経路計算、所要チャネル数計算を行い、チャネル許可部２１により、発信元装置１０ｄと着信先装置１０ａとの間の空きチャネルを検索し、この要求された分の空きチャネルが確保できるか否かを判定する。ＮＭＳ２０は、この判定の結果、例えば３チャネル分の空きがあれば、チャネルパス設定指示部２５が各伝送装置１０、即ち発信元装置１０ｄ，１０ｅ、中継装置１０ｂ，１０ｃ、着信先装置１０ａにチャネル設定指示を行う（Ｓ６２）。
【０１４４】
発信元装置１０ｄは、Ｈ４バイト中にＡＤＤコマンドを記載して着信先装置１０ａに送信することで、そのチャネルパスをＬＣＡＳにより無瞬断で増加させる機能を起動させる（Ｓ６３）。これに対し着信先装置１ａは追加対象のチャネルの追加処理を行い、完了すると同じくＨ４バイトによりＭｅｍｂｅｒ  Ｓｔａｔｕｓ応答（追加の完了通知）を行う（Ｓ６４）。
【０１４５】
そして発信元装置１０ｄが、追加されたチャネルを用いた通信の開始を通知し（Ｓ６５）、着信先装置１０ａがＲＳ−Ａｃｋ応答を返す（Ｓ６６）。ＬＣＡＳの仕組みとしては１チャネルずつ増加を行うので、本例ではチャネル増設シーケンス（Ｓ６３〜Ｓ６６）を３回繰り返す。
【０１４６】
この最後のＲＳ−Ａｃｋ応答が発信元装置１０ｄに返ると、該発信元装置１０ｄは、ＮＭＳ２へ完了通知を送信する（Ｓ６７）。また、発信元装置１０ｅ−着信先装置１０ａについても同様の動作を繰り返す。
【０１４７】
これに応じてＮＭＳ２０のチャネルパス管理部１１は、帯域管理テーブルの使用フラグと使用者を更新する。なお、図２８（ｂ）は、伝送装置１ａ−１ｄ間及び伝送装置１ａ−１ｅ間の帯域増加を完了した状態の帯域管理テーブルを示している。
【０１４８】
このように本実施形態の伝送装置１０は、ＬＣＡＳを用いて無瞬断でチャネルの切り替えを行っている。
【０１４９】
一方、新規に伝送装置１０を追加する場合には、ＮＭＳ２は、新規に追加される伝送装置を発信元とした場合に、この伝送装置と着信先の伝送装置に相当する伝送装置との間のルート計算を行い、且つルート計算結果で得られるルート上にデフォルトチャネルパスを設定できるか否かを、管理しているチャネルの空き状態より判断する。ここで、ＮＭＳ２は、着信先の伝送装置に空きチャネルがない場合には、既存の発信元の伝送装置と当該着信先の伝送装置との間で既に設定されているデフォルトチャネルパス以外のチャネルを解放させて再度割当を行う。
【０１５０】
このように本実施形態では、網運用者がＮＭＳに対し、ある２地点間（発−着信間；エンド−エンド間）のデフォルトのチャネルパスの設定指示を入力すれば、その後の当該２地点間における帯域（チャネル）の増減は発信元−着信先装置間で自動的に行われる。これによって網運用者の管理負担が軽減される（即ちネットワークの管理の複雑化が防止される）と共に、ネットワーク資源を有効に利用される。
【０１５１】
なお、本実施形態においても前述の実施形態１の変形例１〜変形例５と同様に変形することができる。
【０１５２】
《その他の実施形態》
本発明の伝送装置および管理装置は、上述の図示例にのみ限定されるものではなく、本発明の要旨を逸脱しない範囲内において種々変更を加え得ることは勿論である。
【０１５３】
例えば、以下に付記した構成であっても上述の実施形態と同様の効果が得られる。
【０１５４】
（付記１）
多重化により伝送路の複数の帯域を使用して複数のチャネルを設定し、データの伝送を行う伝送装置において、
前記チャネルのパスを設定するチャネルパス設定部と、
データを多重化し、前記チャネルのパスに基づいて伝送する多重化部と、
前記伝送路中の空き帯域を検出し、この空き帯域をチャネルの要求数に応じて適切に配分し、この配分結果に基づいてチャネル数変更用のパス設定要求を出力する帯域調整部と、
を備えることを特徴とした伝送装置。（１）
（付記２）
発信元の伝送装置が複数あり、着信先の伝送装置が１つの場合、
前記帯域調整部が、発信元の伝送装置の数に応じて割当チャネル数を決定することを特徴とする付記１に記載の伝送装置。（２）
（付記３）
発信元の伝送装置が１つであり、着信先の伝送装置が複数ある場合、
前記帯域調整部が、着信先の伝送装置の数に応じて割当チャネル数を決定することを特徴とする付記１に記載の伝送装置。（３）
（付記４）
制御対象となる伝送装置の数をｎとし、該制御対象に割り当て可能な総チャネル数をＭとし、重み付け定数をα（ｎ）としたとき、各伝送装置に割り当てるチャネル数をα（ｎ）×ｍ／ｎとすることを特徴とする付記１に記載の伝送装置。（４）
（付記５）
前記帯域調整部が、発信元の伝送装置と着信先の伝送装置との間に割り当てる最小チャネル数を規定し、該発信元の伝送装置と着信先の伝送装置間のチャネル数が前記最小チャネル数未満とならないように、チャネルの割当を行うことを特徴とする付記１に記載の伝送装置。（５）
（付記６）
前記帯域調整部が、発信元の伝送装置と着信先の伝送装置との間に割り当てる最大チャネル数を規定し、該発信元の伝送装置と着信先の伝送装置間のチャネル数が前記最大チャネルを超えないように、チャネルの割当を行うことを特徴とする付記１に記載の伝送装置。
【０１５５】
（付記７）
前記発信元の伝送装置と着信先の伝送装置との間のトラヒックを測定する測定部を備え、
前記帯域調整部が、その測定結果に応じて割り当てるチャネル数を決定することを特徴とする付記１に記載の伝送装置。（６）
（付記８）
チャネルパス管理部が、新規にチャネルパスを設定するパス設定要求を受け付け、このパス設定要求を満たすチャネルのルーティングを行った際に、空き帯域が無い場合、
帯域調整部が、デフォルトチャネル以外のチャネルを取り消して帯域を解放し、新規のチャネルパスを設定することを特徴とする付記１に記載の伝送装置。（７）
（付記９）
前記チャネルパス設定部が、シグナリングプロトコルを用いてチャネルパスの設定を行うことを特徴とする付記１に記載の伝送装置。
【０１５６】
（付記１０）
前記チャネルの増減をＬＣＡＳ（Ｌｉｎｋ  Ｃａｐａｃｉｔｙ  ＡｄｊｕｓｔｍｅｎｔＳｃｈｅｍｅ）により無瞬断で行うことを特徴とする付記１に記載の伝送装置。
【０１５７】
（付記１１）
多重化により伝送路の複数の帯域を使用して複数のチャネルを設定し、データの伝送を行う伝送装置が、
発信元の伝送装置から着信先の伝送装置へのチャネルのパス設定要求を受け付けるステップと、
このパス設定要求を満たすチャネルのルーティングを行うステップと、
前記ルーティング結果に基づいてチャネルのパスを設定するステップと、
データを多重化し、前記チャネルパスに基づいて伝送するステップと、
前記伝送路中の空き帯域を検出し、この空き帯域をチャネルの要求数に応じて適切に配分し、この配分結果に基づいてチャネルのパス設定要求を出力するステップと、
を実行することを特徴とした伝送方法。（８）
（付記１２）
発信元の伝送装置が複数あり、着信先の伝送装置が１つの場合、
前記帯域を配分するステップにおいて、発信元の伝送装置の数に応じて割当チャネル数を決定することを特徴とする付記１１に記載の伝送方法。
【０１５８】
（付記１３）
発信元の伝送装置が１つであり、着信先の伝送装置が複数ある場合、
前記帯域を配分するステップにおいて、着信先の伝送装置の数に応じて割当チャネル数を決定することを特徴とする付記１１に記載の伝送方法。
【０１５９】
（付記１４）
制御対象となる伝送装置の数をｎとし、該制御対象に割り当て可能な総チャネル数をＭとし、重み付け定数をα（ｎ）としたとき、各伝送装置に割り当てるチャネル数をα（ｎ）×Ｍ／ｎとすることを特徴とする付記１１に記載の伝送方法。
【０１６０】
（付記１５）
前記帯域を配分するステップにおいて、発信元の伝送装置と着信先の伝送装置との間に割り当てる最小チャネル数を規定し、該発信元の伝送装置と着信先の伝送装置間のチャネル数が前記最小チャネル数未満とならないように、チャネルの割当を行うことを特徴とする付記１１に記載の伝送方法。
【０１６１】
（付記１６）
前記帯域を配分するステップにおいて、発信元の伝送装置と着信先の伝送装置との間に割り当てる最大チャネル数を規定し、該発信元の伝送装置と着信先の伝送装置間のチャネル数が前記最大チャネルを超えないように、チャネルの割当を行うことを特徴とする付記１３に記載の伝送方法。
【０１６２】
（付記１７）
前記発信元の伝送装置と着信先の伝送装置との間のトラヒックを測定するステップを更に備え、
前記帯域を配分するステップにおいて、その測定結果に応じて割り当てるチャネル数を決定することを特徴とする付記１３に記載の伝送方法。
【０１６３】
（付記１８）
前記チャネルのルーティングを行うステップにおいて、新規にチャネルパスを設定するパス設定要求を受け付け、このパス設定要求を満たすチャネルのルーティングを行った際に、空き帯域が無い場合、
帯域調整部が、デフォルトチャネル以外のチャネルを取り消して帯域を解放し、新規のチャネルパスを設定することを特徴とする付記１３に記載の伝送方法。
【０１６４】
（付記１９）
前記チャネルパスを設定するステップにおいて、シグナリングプロトコルを用いてチャネルパスの設定を行うことを特徴とする付記１３に記載の伝送方法。
【０１６５】
（付記２０）
前記チャネル設定要求に基づいてチャネルを増減させる場合、ＬＣＡＳ（Ｌｉｎｋ  Ｃａｐａｃｉｔｙ  Ａｄｊｕｓｔｍｅｎｔ  Ｓｃｈｅｍｅ）により無瞬断で行うことを特徴とする付記１３に記載の伝送方法。
【０１６６】
（付記２１）
多重化により伝送路の複数の帯域を使用して複数のチャネルを設定し、データの伝送を行う伝送装置と、該伝送装置を管理する管理装置とを有するネットワークシステムであって、
前記管理装置が、
発信元の伝送装置から着信先の伝送装置へのチャネルのパス設定要求を受け付け、このパス設定要求を満たすチャネルのルーティングを行うチャネルパス管理部と、
前記チャネルの設定指示を伝送装置に送信するチャネル設定指示部とを備え、
前記伝送装置が、
前記チャネルの設定指示に基づいてチャネルパスを設定するチャネルパス設定部と、
データを多重化し、前記チャネルパスに基づいて伝送する多重化部と、
前記伝送路中の空き帯域を検出し、この空き帯域をチャネルの要求数に応じて適切に配分し、この配分結果に基づいてチャネル数変更用のパス設定要求を出力する帯域調整部と、
を備えることを特徴としたネットワークシステム。（９）
（付記２２）
発信元の伝送装置が複数あり、着信先の伝送装置が１つの場合、
前記帯域調整部が、発信元の伝送装置の数に応じて割当チャネル数を決定することを特徴とする付記２１に記載のネットワークシステム。
【０１６７】
（付記２３）
発信元の伝送装置が１つであり、着信先の伝送装置が複数ある場合、
前記帯域調整部が、着信先の伝送装置の数に応じて割当チャネル数を決定することを特徴とする付記２１に記載のネットワークシステム。
【０１６８】
（付記２４）
制御対象となる伝送装置の数をｎとし、該制御対象に割り当て可能な総チャネル数をＭとし、重み付け定数をα（ｎ）としたとき、各伝送装置に割り当てるチャネル数をα（ｎ）×Ｍ／ｎとすることを特徴とする付記２１に記載のネットワークシステム。
【０１６９】
（付記２５）
前記帯域調整部が、発信元の伝送装置と着信先の伝送装置との間に割り当てる最小チャネル数を規定し、該発信元の伝送装置と着信先の伝送装置間のチャネル数が前記最小チャネル数未満とならないように、チャネルの割当を行うことを特徴とする付記２１に記載のネットワークシステム。
【０１７０】
（付記２６）
前記帯域調整部が、発信元の伝送装置と着信先の伝送装置との間に割り当てる最大チャネル数を規定し、該発信元の伝送装置と着信先の伝送装置間のチャネル数が前記最大チャネルを超えないように、チャネルの割当を行うことを特徴とする付記２１に記載のネットワークシステム。
【０１７１】
（付記２７）
前記発信元の伝送装置と着信先の伝送装置との間のトラヒックを測定する測定部を備え、
前記帯域調整部が、その測定結果に応じて割り当てるチャネル数を決定することを特徴とする付記２１に記載のネットワークシステム。
【０１７２】
（付記２８）
チャネルパス管理部が、新規にチャネルパスを設定するパス設定要求を受け付け、このパス設定要求を満たすチャネルのルーティングを行った際に、空き帯域が無い場合、
帯域調整部が、デフォルトチャネル以外のチャネルを取り消して帯域を解放し、新規のチャネルパスを設定することを特徴とする付記２１に記載のネットワークシステム。
【０１７３】
（付記２９）
前記チャネルパス設定部が、シグナリングプロトコルを用いてチャネルパスの設定を行うことを特徴とする付記２１に記載のネットワークシステム。
【０１７４】
（付記３０）
前記チャネルの増減をＬＣＡＳ（Ｌｉｎｋ  Ｃａｐａｃｉｔｙ  Ａｄｊｕｓｔｍｅｎｔ  Ｓｃｈｅｍｅ）により無瞬断で行うことを特徴とする付記２１に記載のネットワークシステム。
【０１７５】
（付記３１）
多重化により伝送路の複数の帯域を使用して複数のチャネルを設定し、データの伝送を行う伝送装置を有するネットワークの管理装置であって、
発信元の伝送装置から着信先の伝送装置へのチャネルのパス設定要求を受け付け、このパス設定要求を満たすチャネルのルーティングを行うチャネルパス管理部と、
前記伝送路中の空き帯域を検出し、この空き帯域をチャネルの要求数に応じて適切に配分し、この配分結果に基づいてチャネル数変更用のパス設定要求を出力する帯域調整部と、
を備えることを特徴とした管理装置。（１０）
（付記３２）
複数の伝送装置を含み、所定の伝送装置間に設定されるパス上をデータが伝送されるネットワークにおいてパスの帯域を調整するシステムであって、
所定の伝送装置間に、通信に最低限必要な帯域を持つデフォルトチャネルを設定するデフォルトチャネル設定部と、
或る伝送装置について、その伝送値装置が使用可能な空きチャネルを、その伝送装置に接続されている１以上のパスに割り当てることにより、この１以上のパスに対する帯域を調整する帯域調整部と、
を含む帯域調整システム。
【０１７６】
【発明の効果】
以上、説明したように本発明によれば、伝送装置間の通信に使用する帯域を空き帯域に応じて自動的に配分することで、ネットワークの管理の複雑化を防止しつつ、ネットワーク資源の利用効率を向上させることができる。
【図面の簡単な説明】
【図１】本発明に係るネットワークシステムの概略図
【図２】伝送装置及び管理装置等から構成されるネットワークの説明図
【図３】伝送装置の説明図
【図４】管理装置の説明図
【図５】伝送手順の説明図
【図６】ネットワーク構成図
【図７】帯域管理テーブルの説明図
【図８】Ｈ４バイトの説明図
【図９】Ｈ４バイトのフォーマットを示す図
【図１０】Ｈ４バイトのコントロールコードの値を示す図
【図１１】伝送装置を追加する例を示すネットワーク構成図
【図１２】チャネル解放のシーケンスを示す図
【図１３】通知フォーマットの説明図
【図１４】変形例２のネットワーク構成図
【図１５】変形例２の管理テーブルの説明図
【図１６】変形例３のネットワーク構成図
【図１７】変形例４のネットワーク構成図
【図１８】変形例４の管理テーブルの説明図
【図１９】変形例５のネットワーク構成図
【図２０】変形例５の伝送装置の概略図
【図２１】実施形態２の伝送方法の説明図
【図２２】実施形態２のチャネル解放のシーケンスを示す図
【図２３】実施形態３のネットワークシステムの説明図
【図２４】実施形態３の伝送装置の概略構成図
【図２５】実施形態３の管理装置の概略構成図
【図２６】実施形態３の伝送方法の説明図
【図２７】帯域管理テーブルの説明図
【符号の説明】
１          伝送装置
２          管理装置
１１      チャネルパス管理部
１２      チャネルパス設定部
１３      多重化部
１４      帯域調整部
２１      チャネル許可部
２２      チャネル設定指示部
３１      測定部
【図１】
2004153623.tif 000003
【図２】
2004153623.tif 000004
【図３】
2004153623.tif 000005
【図４】
2004153623.tif 000006
【図５】
2004153623.tif 000007
【図６】
2004153623.tif 000008
【図７】
2004153623.tif 000009
【図８】
2004153623.tif 000010
【図９】
2004153623.tif 000011
【図１０】
2004153623.tif 000012
【図１１】
2004153623.tif 000013
【図１２】
2004153623.tif 000014
【図１３】
2004153623.tif 000015
【図１４】
2004153623.tif 000016
【図１５】
2004153623.tif 000017
【図１６】
2004153623.tif 000018
【図１７】
2004153623.tif 000019
【図１８】
2004153623.tif 000020
【図１９】
2004153623.tif 000021
【図２０】
2004153623.tif 000022
【図２１】
2004153623.tif 000023
【図２２】
2004153623.tif 000024
【図２３】
2004153623.tif 000025
【図２４】
2004153623.tif 000026
【図２５】
2004153623.tif 000027
【図２６】
2004153623.tif 000028
【図２７】
2004153623.tif 000029